【手続補正書】
【提出日】平成23年6月15日(2011.6.15)
【手続補正１】
【補正対象書類名】特許請求の範囲
【補正対象項目名】全文
【補正方法】変更
【補正の内容】
【特許請求の範囲】
【請求項１】
牽引力を提供するために車両の車輪に取り付けるためのスノーチェーンに張力をかけるための引張装置であって、
少なくとも１つの孔と、一連のハウジング歯を有する上部と、上面を備えた内部を有する下部とを含むハウジングと、
前記ハウジングに回動可能に相互連結された作動レバーと、
コードと、
上面および下面と、前記ハウジング歯と噛み合うように構成および配置された前記上面上の一連のラチェット歯と、前記上面と前記下面との間に前記コードを収容するために十分なスペースが設けられた溝とを含み、前記コードが相互連結されたラチェットスプールと、
前記ラチェットスプールに相互連結され、前記ラチェットスプールに巻取方向への付勢をかけるように構成および配置された引張ばねと、
前記ハウジング下部の前記内部の前記上面と前記ラチェットスプールの前記下面との間に位置して前記ラチェットスプールを前記ハウジング歯の方向に付勢する波形ばねとを含み、
前記引張装置が前記スノーチェーンを車輪に固定することができるように、前記引張装置は前記スノーチェーンに相互連結可能であり、
前記作動レバーが上昇位置と下降位置とを有し、前記作動レバーは、前記作動レバーの前記ハウジングに対する回動点から延出するカムを有し、前記作動レバーが上昇位置にあるとき、前記カムは、前記ラチェットスプールを下降位置に保持し、前記回動作動レバーが下降位置にあるとき、前記ラチェットスプールは上昇位置にある引張装置。
【請求項２】
前記孔が前記ハウジングの前記上部と前記下部とによって形成される請求項１に記載の引張装置。
【請求項３】
前記ラチェット歯および前記ハウジング歯が、前記ラチェットスプールおよび前記ハウジングの縦軸（vertical axis）に垂直な水平面に対して９０度より大きい角度でアンダーカットされている請求項１に記載の引張装置。
【請求項４】
前記ラチェットスプールが、上昇位置と下降位置とを有し、前記ラチェットスプールが上昇位置にあるときは前記ラチェット歯が前記ハウジング歯と係合し、前記ラチェットスプールが下降位置にあるときは前記ラチェット歯が前記ハウジング歯と係合しない請求項１に記載の引張装置。
【請求項５】
前記ラチェットスプールが、前記ラチェットスプールの底面上の留め具をさらに含み、前記引張装置が、上昇位置と下降位置とを有するストッパをさらに含み、前記ストッパは、前記ラチェットスプールが下降位置にあるときに前記ラチェットスプールが巻取方向に３６０度より多く回転しないように、前記ラチェットスプールが下降位置にあるときに前記ストッパが前記留め具を阻止することになる前記上昇位置へと付勢されている請求項１に記載の引張装置。
【請求項６】
前記引張ばねの外側末端におけるひだ部と、前記ラチェットスプールの内側表面にその周方向凹部に近接して設けられた、前記ひだ部を収容して保持するのに十分な大きさの切欠き部とをさらに含む請求項１に記載の引張装置。
【請求項７】
前記ラチェット歯および前記ハウジング歯が、前記ラチェットスプールおよび前記ハウジングの縦軸（vertical axis）に垂直な水平面に対して９０度の角度よりも約３〜約３０度大きい角度でアンダーカットされている請求項１に記載の引張装置。
【請求項８】
前記スノーチェーンを前記ハウジングに取り付けるための複数の連結部材をさらに含む請求項１に記載の引張装置。
【請求項９】
前記上部と前記下部との間の接合部が、互いに噛み合うリップとグルーブとを含むように構成および配置されている請求項１に記載の引張装置。
【請求項１０】
複数のコードが前記ラチェットスプールに相互連結されている請求項１に記載の引張装置。
【請求項１１】
前記ハウジングが、前記上部と前記下部とによって形成される複数の孔を含み、前記複数のコードのそれぞれが前記複数の孔のそれぞれを通って延びている請求項１に記載の引張装置。
【請求項１２】
前記コードがコードサブユニットの一部であるとともに、第１および第２の端部を有し、
前記コードサブユニットは、
前記コードの第１の端部における第１のつまみと、
前記コードの第２の端部における第２のつまみと、
前記コードを取り囲むグロメット（grommet）とをさらに含み、
前記グロメットは、前記コードが通過する開口部を有し、前記開口部は、前記第１または第２のつまみが通過するのを防止するように構成および配置された直径を有する請求項１に記載の引張装置。
【請求項１３】
前記グロメットが、前記上部と前記下部との間で前記孔に近接して前記ハウジングと係合する請求項１２に記載の引張装置。
【請求項１４】
止めおよび一連のハウジング歯を有するハウジングと、
一連のラチェット歯および少なくとも１つの留め具を有するスプールを含み、前記ハウジング内部に設置された巻取機構と、
前記スプールに動作可能に連結されたコードとを含み、
前記巻取機構が、前記コードの動きを制御する２つの位置を有し、第１の位置は、前記コードが前記ハウジングに引き込まれ前記ハウジングから引き出すことができない巻取位置であり、第２の位置は、前記コードが前記ハウジングから引き出され得る巻出位置であり、
前記巻取機構が第２の位置にある間に前記コードが前記ハウジングから引き出されてその後解放されると、前記留め具が前記止めと接触するまで前記コードが前記ハウジング内に引っ込み、
前記留め具が前記止めと接触する前に前記スプールは３６０度未満回転し、
前記ラチェット歯が前記ハウジング歯から外れ、前記スプールが巻取方向に回転しているとき、前記止めが前記少なくとも１つの留め具の１つを阻止するように、前記止めは、ばねで付勢されている装置。
【請求項１５】
前記ハウジングに相互連結された作動レバーをさらに含み、前記作動レバーが前記巻取機構の位置を制御する請求項１４に記載の引張装置。
【請求項１６】
前記作動レバーが上昇位置と下降位置とを含み、前記ハウジングに回動可能に相互連結され、前記作動レバーは、前記作動レバーの前記ハウジングに対する回動点から延出するカムを有する請求項１５に記載の引張装置。
【請求項１７】
前記ハウジングが、少なくとも１つの孔と、一連のハウジング歯を有する上部と、下部とを含み、
前記ハウジングに相互連結された作動レバーと、
上面および下面と、前記ハウジング歯と噛み合うように構成および配置された前記上面上の一連のラチェット歯と、前記上面と前記下面との間に前記コードを収容するために十分なスペースが設けられた溝とを有し、前記コードが相互連結された前記スプールと、
前記スプールに相互連結され、前記スプールに巻取方向への付勢をかけるように構成および配置された引張ばねと、
前記ハウジング下部の上面と前記スプールの前記下面との間に位置して前記スプールを前記ハウジング歯の方向に付勢する波形ばねとをさらに含む請求項１４に記載の引張装置。
【請求項１８】
前記巻取機構が複数の留め具を含む請求項１４に記載の引張装置。
【請求項１９】
車両の車輪に取り付けるための自動引張式スノーチェーンであって、前記車輪の周りに固定されるスノーチェーンと、前記スノーチェーンに連結された引張装置とを含み、
前記引張装置は、
一連のハウジング歯を有する上部と、下部とを含み、少なくとも１つの孔が形成されたハウジングと、
前記ハウジングに回動可能に相互連結された作動レバーと、
上面および下面と、前記ハウジング歯と噛み合うように構成および配置された前記上面上の一連のラチェット歯とを含むラチェットスプールと、
前記ラチェットスプールに取り付けられたコードと、
前記ラチェットスプールに相互連結され、前記ラチェットスプールに巻取方向への付勢をかけるように構成および配置された引張ばねと、
前記ハウジング下部の上面と前記ラチェットスプールの前記下面との間に位置して前記ラチェットスプールを前記ハウジング歯の方向に付勢する波形ばねとを含み、
前記引張装置が前記スノーチェーンを前記車輪に固定することができるように、前記スノーチェーンは前記引張装置に相互連結され、前記コードは前記スノーチェーンに連結可能であり、
前記ラチェットスプールは、前記作動レバーにより、前記ハウジング歯から離れる方向に押圧され、
前記作動レバーが上昇位置と下降位置とを有し、前記作動レバーは、前記作動レバーの前記ハウジングに対する回動点から延出するカムを有し、前記作動レバーが上昇位置にあるとき、前記カムは、前記ラチェット歯が前記ハウジング歯から外れる下降位置に前記ラチェットスプールを保持し、前記回動作動レバーが下降位置にあるとき、前記ラチェットスプールは上昇位置にある自動引張式スノーチェーン。
【請求項２０】
前記ラチェット歯および前記ハウジング歯が、前記ラチェットスプールおよび前記ハウジングの縦軸（vertical axis）に垂直な水平面に対して９０度より大きい角度でアンダーカットされている請求項１９に記載の自動引張式スノーチェーン。
【請求項２１】
前記角度が、前記ラチェットスプールおよび前記ハウジングの縦軸（vertical axis）に垂直な水平面に対して９０度の角度よりも約３〜約３０度大きい請求項２０に記載の自動引張式スノーチェーン。
【請求項２２】
前記引張ばねの外側末端におけるひだ部と、前記ラチェットスプールの内側表面にその周方向凹部に近接して設けられた、前記ひだ部を収容して保持するのに十分な大きさの切欠き部とをさらに含む請求項１９に記載の自動引張式スノーチェーン。
【請求項２３】
前記ハウジングの上部と下部との間の接合部が、互いに噛み合うリップとグルーブとを含むように構成および配置されている請求項１９に記載の自動引張式スノーチェーン。
【請求項２４】
前記コードがコードサブユニットの一部であるとともに、第１および第２の端部を有し、
前記コードサブユニットは、
前記コードの第１の端部における第１のつまみと、
前記コードの第２の端部における第２のつまみと、
前記コードを取り囲むグロメット（grommet）とをさらに含み、
前記グロメットは、前記コードが通過する開口部を有し、前記開口部は、前記第１または第２のつまみが通過するのを防止するように構成および配置された直径を有する請求項１９に記載の自動引張式スノーチェーン。
【請求項２５】
前記グロメットが、前記上部と前記下部との間の前記孔内で前記ハウジングと係合する請求項２４に記載の自動引張式スノーチェーン。
【請求項２６】
前記引張装置は、複数のコードサブユニットを含み、前記複数のコードのそれぞれは前記ラチェットスプールに相互連結されている請求項２４に記載の自動引張式スノーチェーン。
【請求項２７】
前記引張装置は、複数の孔を含み、前記複数のコードのそれぞれを取り囲む前記複数のグロメットのそれぞれは孔内で係合する請求項２６に記載の自動引張式スノーチェーン。
【請求項２８】
一連のハウジング歯を有する上部と、下部とを含み、少なくとも１つの孔が形成されたハウジングと、
前記ハウジングに回動可能に相互連結された作動レバーと、
上面および下面と、前記ハウジング歯と噛み合うように構成および配置された前記上面上の一連のラチェット歯とを含むラチェットスプールと、
前記ラチェットスプールに取り付けられたコードと、
前記ラチェットスプールに相互連結され、前記ラチェットスプールに巻取方向への付勢をかけるように構成および配置された引張ばねと、
前記ハウジング下部の上面と前記ラチェットスプールの前記下面との間に位置して前記ラチェットスプールを前記ハウジング歯の方向に付勢する波形ばねとを含む引張装置であって、
前記引張装置が前記スノーチェーンを車輪に固定することができるように、前記スノーチェーンは前記引張装置に相互連結され、前記コードは前記スノーチェーンに連結可能であり、
前記ラチェットスプールは、前記作動レバーにより、前記ハウジング歯から離れる方向に押圧され、
前記作動レバーが上昇位置と下降位置とを有し、前記作動レバーは、前記作動レバーの前記ハウジングに対する回動点から延出するカムを有し、前記作動レバーが上昇位置にあるとき、前記カムは、前記ラチェット歯が前記ハウジング歯から外れる下降位置に前記ラチェットスプールを保持し、前記回動作動レバーが下降位置にあるとき、前記ラチェットスプールは上昇位置にある引張装置。
【請求項２９】
前記ラチェット歯および前記ハウジング歯が、前記ラチェットスプールおよび前記ハウジングの縦軸（vertical axis）に垂直な水平面に対して９０度より大きい角度でアンダーカットされている請求項２８に記載の引張装置。
【請求項３０】
前記角度が、前記ラチェットスプールおよび前記ハウジングの縦軸（vertical axis）に垂直な水平面に対して９０度の角度よりも約３〜約３０度大きい請求項２９に記載の引張装置。
【請求項３１】
前記引張ばねの外側末端におけるひだ部と、前記ラチェットスプールの内側表面にその周方向凹部に近接して設けられた、前記ひだ部を収容して保持するのに十分な大きさの切欠き部とをさらに含む請求項２８に記載の引張装置。
【請求項３２】
前記ハウジングの上部と下部との間の接合部が、互いに噛み合うリップとグルーブとを含むように構成および配置されている請求項２８に記載の引張装置。
【請求項３３】
前記コードがコードサブユニットの一部であるとともに、第１および第２の端部を有し、
前記コードサブユニットは、
前記コードの第１の端部における第１のつまみと、
前記コードの第２の端部における第２のつまみと、
前記コードを取り囲むグロメット（grommet）とをさらに含み、
前記グロメットは、前記コードが通過する開口部を有し、前記開口部は、前記第１または第２のつまみが通過するのを防止するように構成および配置された直径を有する請求項２８に記載の引張装置。
【請求項３４】
前記グロメットが、前記上部と前記下部との間の前記孔内で前記ハウジングと係合する請求項３３に記載の引張装置。
【請求項３５】
前記引張装置は、複数のコードサブユニットを含み、前記複数のコードのそれぞれは前記ラチェットスプールに相互連結されている請求項３３に記載の引張装置。
【請求項３６】
前記引張装置は、複数の孔を含み、前記複数のコードのそれぞれを取り囲む前記複数のグロメットのそれぞれは孔内で係合する請求項３５に記載の引張装置。